(57)【要約】【課題】外部装置のコントロールを、操作に関する部分の面積を大きくせずに、且つ簡易に行うことができる情報処理装置、情報処理方法、及び、これらを用いた情報処理システムを提供する。【解決手段】制御部１１は、自己処理モードにおいて、外部装置の処理を行うための特定指示を受け付けたときには、外部処理モードとなり、当該外部処理モードにおいて動き情報を受け付けた際には、記憶部１４を参照して、当該動き情報に対応する、外部装置の処理を特定し、特定された処理を行う。【選択図】図３
2015027003.tif 000002
【特許請求の範囲】
【請求項１】
情報処理装置であって、
前記情報処理装置から予め定められた範囲内に存在する可動物体の動きに関する情報である動き情報を、前記可動物体から受け付けるとともに、前記情報処理装置に接続された１又は複数の外部装置の処理を行うための特定指示を受け付ける受付部と、
前記動き情報に基づいて前記情報処理装置を処理する自己処理モードと、前記動き情報に基づいて、前記情報処理装置に接続された１又は複数の外部装置を処理する外部処理モードとを有する制御部と、
少なくとも、前記動き情報と、前記外部装置の処理とを対応付けて記憶している記憶部と、を備え、
前記制御部は、前記自己処理モードにおいて、前記受付部によって、前記特定指示が受け付けられたときには、前記外部処理モードとなり、当該外部処理モードにおいて、前記受付部によって前記動き情報が受け付けられた際には、前記記憶部に記憶された情報を参照して、当該動き情報に対応する、前記外部装置の処理を特定し、特定された処理を行う
情報処理装置。
【請求項２】
前記外部装置として、表示画面を備えた表示装置が接続されており、
前記制御部は、前記外部処理モードとして、前記表示画面に予め定められた特定画像が表示された状態で、前記表示装置の処理を行う第１モードと、前記表示画面に前記特定画像が表示されていない状態で、前記表示装置の処理を行う第２モードと、を有する
請求項１に記載の情報処理装置。
【請求項３】
前記特定画像は、前記表示装置の処理の内容を表す画像を含んでいる
請求項２に記載の情報処理装置。
【請求項４】
前記記憶部には、第１の動き情報と、当該第１の動き情報よりも簡易な動きを表す第２の動き情報とを記憶しており、且つ、少なくとも、前記第２の動き情報に対応する、前記表示装置の処理を記憶しており、
前記制御部は、前記第２モードでは、前記受付部によって前記第２の動き情報が受け付けられた際に、前記記憶部を参照して、前記第２の動き情報に対応する、前記表示装置の処理を特定し、特定された処理を行う
請求項２又は３に記載の情報処理装置。
【請求項５】
前記特定画像は、複数の領域に区分された画像であり、
前記受付部は、前記領域毎に、前記第１の動き情報を受け付け、
前記記憶部には、前記領域毎に、同じ前記第１の動き情報に応じて、前記表示装置のそれぞれ異なる処理を記憶しており、
前記制御部は、前記第１モードで、前記受付部が、前記領域毎に、同じ前記第１の動き情報を受け付けた際に、前記表示装置の各々異なる処理を行う
請求項４に記載の情報処理装置。
【請求項６】
さらに、
前記各領域に対応させて、前記表示装置の処理の名称を、前記表示画面に表示させる表示制御部を備える
請求項５に記載の情報処理装置。
【請求項７】
前記表示制御部は、
前記第１モードにおいて、前記表示画面に、前記特定画像、及び、第１ポインタを表示させ、前記第１の動き情報に応じて前記第１ポインタを移動させる
請求項６に記載の情報処理装置。
【請求項８】
前記表示装置は、テレビジョン受像機であり、
前記表示装置の処理は、前記テレビジョン受像機のチャンネル切り替え、及び、当該テレビジョン受像機の音量調整のいずれか一方又は両方である
請求項２〜７のいずれか１項に記載の情報処理装置。
【請求項９】
前記表示制御部は、前記情報処理装置が前記自己処理モードであることを表すための第２ポインタ、及び、前記情報処理装置が前記第１モードであることを表すための第１ポインタのいずれか一方を表示させ、
前記制御部は、前記自己処理モードの際に前記第２ポインタを前記表示制御部によって前記表示画面に表示させ、前記第１モードとなる際に、前記第２ポインタを前記第１ポインタに切り替える
請求項６又は７に記載の情報処理装置。
【請求項１０】
表示画面を備えた表示装置を含む、複数の前記外部装置が前記情報処理装置に接続されており、
前記情報処理装置は、さらに、
複数の前記外部装置の各々の名称の一覧を表す外部装置一覧を前記表示画面に表示させる一覧表示制御部を備え、
前記制御部は、前記第１モードでは、前記第１の動き情報に対応する処理として、前記一覧表示制御部によって、前記外部装置一覧を前記表示画面に表示させる
請求項４〜９のいずれか１項に記載の情報処理装置。
【請求項１１】
前記記憶部には、さらに、前記第１の動き情報に対応して、前記外部装置と、当該外部装置の処理とが予め記憶されており、
前記制御部は、前記外部装置一覧が前記表示画面に表示されているときに前記第１の動き情報を受け付けたときには、前記外部装置一覧の中から、前記第１の動き情報に対応する前記外部装置を特定し、さらに、前記第１の動き情報を受け付けたときには、特定した前記外部装置に対し、前記第１の動き情報に対応する処理を行う
請求項１０に記載の情報処理装置。
【請求項１２】
前記記憶部は、さらに、前記第１の動き情報、及び、前記第２の動き情報とは異なる第３の動き情報と、当該第３の動き情報に対応する前記外部装置とを記憶しており、
前記制御部は、（１）前記第２モードにおいて、前記受付部によって前記第３の動き情報が受け付けられた際に、前記記憶部に記憶された情報を参照して、前記第３の動き情報に対応する前記外部装置を特定し、（２）その後、当該外部装置に関して、前記第２の動き情報と、当該第２の動き情報に対応する当該外部装置の処理とが前記記憶部に記憶されている場合には、前記特定された前記外部装置に対応する処理を行う
請求項４〜１１のいずれか１項に記載の情報処理装置。  
【請求項１３】
前記可動物体は、角速度を検出する角速度検出部を備えるリモコンであり、
前記第１の動き情報及び前記第２の動き情報は、前記リモコンの移動軌跡を表す情報である
請求項４〜１２のいずれか１項に記載の情報処理装置。
【請求項１４】
前記リモコンは、前記制御部に前記特定指示を行うために押し操作される特定操作ボタンが設けられており、
前記リモコンは、前記特定操作ボタンが継続して押されている間、前記受付部に前記特定指示を送信する
請求項１３に記載の情報処理装置。
【請求項１５】
前記可動物体は人体であり、
前記情報処理装置には、さらに、前記人体の映像である人体映像を撮影する撮影装置が接続されており、
前記受付部は、前記動き情報として、前記人体映像で表される、前記人体の動き情報を受け付け、
前記記憶部には、前記人体の動き情報に対応して、前記外部装置の処理が記憶されており、
前記制御部は、前記受付部が前記人体の動き情報を受け付けた際に、当該人体の動き情報に対応する、前記外部装置の処理を行う
請求項１〜１２のいずれか１項に記載の情報処理装置。
【請求項１６】
情報処理装置が、
前記情報処理装置から予め定められた範囲内に存在する可動物体の動きに関する情報である動き情報を受け付ける受付ステップと、
前記動き情報に基づいて前記情報処理装置を処理する自己処理モードにおいて、前記情報処理装置に接続された１又は複数の外部装置の処理を行うための特定指示を受け付けたときには、前記１又は複数の外部装置を処理する外部処理モードとなる第１モード切替ステップと、
前記外部処理モードにおいて前記動き情報を受け付けた際には、当該動き情報に対応する、前記外部装置の処理を特定する特定ステップと、
前記特定された処理を行う処理ステップと、を含む
情報処理方法。
【発明の詳細な説明】
【技術分野】
【０００１】
本発明は、情報処理装置、及び情報処理方法に関する。
【背景技術】
【０００２】
従来、情報処理装置は、操作に関する部分の面積を極力減らすために、ユーザに対して、当該ユーザの指先を表示画面上で移動させ、その移動軌跡に予め対応して記憶されている処理を行う（例えば、特許文献１参照）。
【先行技術文献】
【特許文献】
【０００３】
【特許文献１】特開平１０−９１３２０号公報
【発明の概要】
【発明が解決しようとする課題】
【０００４】
ところが、先述の情報処理装置は、移動軌跡に対応して記憶されている処理として、当該情報処理装置に格納されているファイルのオープンなど、当該情報処理装置に対する処理しか行うことができない。
【０００５】
近時、情報処理装置の他に、テレビジョン、ブルーレイ（登録商標）ディスクプレイヤー、ＤＶＤ（Digital Versatile Disk）プレイヤーなど、複数の装置が、家屋の部屋などの一定の面積の範囲に配置されていることが多い。
【０００６】
このような場合、各装置を、各々の装置に対応するリモコンを用いて操作するのは、リモコンを管理することが困難である。そこで、１つのリモコンで複数の装置をコントロールできるマルチリモコンが開発された。
【０００７】
しかしながら、このようなマルチリモコンには、各装置に対応した操作ボタンがそれぞれ配置されているため、操作に関する部分の面積が大きくなっている。また、操作ボタンの操作が煩雑になっている。
【０００８】
本発明は、上述の課題を解決するためになされたものであり、外部装置のコントロールを、操作に関する部分の面積を大きくせずに、且つ簡易に行うことができる情報処理装置、及び情報処理方法を提供することを目的とする。
【課題を解決するための手段】
【０００９】
上記目的を達成するために、本発明の一態様に係る情報処理装置は、情報処理装置であって、前記情報処理装置から予め定められた範囲内に存在する可動物体の動きに関する情報である動き情報を、前記可動物体から受け付けるとともに、前記情報処理装置に接続された１又は複数の外部装置の処理を行うための特定指示を受け付ける受付部と、前記動き情報に基づいて前記情報処理装置を処理する自己処理モードと、前記動き情報に基づいて、前記情報処理装置に接続された１又は複数の外部装置を処理する外部処理モードとを有する制御部と、少なくとも、前記動き情報と、前記外部装置の処理とを対応付けて記憶している記憶部と、を備え、前記制御部は、前記自己処理モードにおいて、前記受付部によって、前記特定指示が受け付けられたときには、前記外部処理モードとなり、当該外部処理モードにおいて、前記受付部によって前記動き情報が受け付けられた際には、前記記憶部に記憶された情報を参照して、当該動き情報に対応する、前記外部装置の処理を特定し、特定された処理を行う。
【００１０】
この構成によると、情報処理装置は、情報処理装置自身を制御する自己制御モードにおいて、外部装置の制御を行うための特定指示を受け付けるとともに、可動物体の動き情報を受け付けたときには、その動き情報に対応して予め記憶されている、外部装置の処理を行う。
【００１１】
そのため、制御部に、外部装置に対する処理を行うための特定指示を与えれば、可動物体の動きのみで特定の外部装置に対する処理を行うことができるので、従来のマルチリモコンのように、外部装置の数だけ当該外部装置を制御するためのボタンを必要とせずに、リモコンを縦方向や横方向に振るだけで、簡易に、外部装置に対する処理を行わせることができる。よって、外部装置のコントロールを、リモコンにおいて操作に関する面積を大きくせずに、且つ、簡易に行うことができる。
【００１２】
また、前記外部装置として、表示画面を備えた表示装置が接続されており、前記制御部は、前記外部処理モードとして、前記表示画面に予め定められた特定画像が表示された状態で、前記表示装置の処理を行う第１モードと、前記表示画面に前記特定画像が表示されていない状態で、前記表示装置の処理を行う第２モードと、を有してもよい。
【００１３】
この構成によると、表示画面に特定画像が表示された状態で、可動物体の複雑な動き情報に基づいて表示装置に対する処理を行う第１モードと、表示画面に何ら画像が表示されていない状態で、可動物体の簡易な動き情報に基づいて表示装置に対する処理を行う第２モードとを有する。
【００１４】
そのため、表示画面に特定画像が表示された状態でも、表示画面に何ら画像が表示されていない状態でも、表示装置に対する処理を行うことができるので、利便性に優れている。
【００１５】
特に、表示画面に何ら画像が表示されていない状態でも、可動物体の簡易な動きによって、表示装置に対する処理を行うことができるので、例えば、表示画面にポインタを表示させていなくても表示装置に対する処理を行うことができ、特に有益である。
【００１６】
また、前記特定画像は、前記表示装置の処理の内容を表す画像を含んでいてもよい。
【００１７】
この構成によると、特定画像は、表示装置の処理の内容を表す画像を含んでいるので、どのような処理が行われるかが一目で判るから、利便性に優れている。
【００１８】
また、前記記憶部には、第１の動き情報と、当該第１の動き情報よりも簡易な動きを表す第２の動き情報とを記憶しており、且つ、少なくとも、前記第２の動き情報に対応する、前記表示装置の処理を記憶しており、前記制御部は、前記第２モードでは、前記受付部によって前記第２の動き情報が受け付けられた際に、前記記憶部を参照して、前記第２の動き情報に対応する、前記表示装置の処理を特定し、特定された処理を行ってもよい。
【００１９】
この構成によると、第２モードでは、可動物体の移動軌跡が、簡易な移動軌跡を描くように動けば、その動きに対応する処理が行われるので、表示装置の表示画面に何ら画像が表示されていない状態でも、表示装置の処理を行わせることができ、利便性に優れている。
【００２０】
また、前記特定画像は、複数の領域に区分された画像であり、前記受付部は、前記領域毎に、前記第１の動き情報を受け付け、前記記憶部には、前記領域毎に、同じ前記第１の動き情報に応じて、前記表示装置のそれぞれ異なる処理を記憶しており、前記制御部は、前記第１モードで、前記受付部が、前記領域毎に、同じ前記第１の動き情報を受け付けた際に、前記表示装置の各々異なる処理を行ってもよい。
【００２１】
この構成によると、画像の領域毎に同じ動き情報を受け付けた際に、領域毎に、表示装置に対するそれぞれ異なる処理を行うので、ユーザは、所望の処理に対応する領域で、可動物体を動かせばよいので、表示画面を有効活用することができる。
【００２２】
さらに、前記各領域に対応させて、前記表示装置の処理の名称を、前記表示画面に表示させる表示制御部を備えてもよい。
【００２３】
この構成によると、各領域に対応させて、表示装置の処理の名称を表示画面に表示させるので、どの領域に向けて可動物体を操作すればよいかが判り、利便性に優れている。
【００２４】
また、前記表示制御部は、前記第１モードにおいて、前記表示画面に、前記特定画像、及び、第１ポインタを表示させ、前記第１の動き情報に応じて前記第１ポインタを移動させてもよい。
【００２５】
この構成によると、表示画面には、表示装置の処理の内容を表す特定画像と、第１ポインタが表示され、可動物体の動きに応じて第１ポインタが移動するので、ユーザは、表示装置の処理の内容を確認しながら第１ポインタを移動させることによって、表示装置の処理を行わせることができるので、利便性に優れている。
【００２６】
また、前記表示装置は、テレビジョン受像機であり、前記表示装置の処理は、前記テレビジョン受像機のチャンネル切り替え、及び、当該テレビジョン受像機の音量調整のいずれか一方又は両方であってもよい。
【００２７】
この構成によると、第２モードにおける表示装置に対する処理は、テレビジョン受像機のチャンネル切り替え、及び、テレビジョン受像機の音量調整であるので、可動物体の簡易な操作によって、チャンネル切替、及び、音量調整を行うことができ、利便性に優れている。
【００２８】
また、前記表示制御部は、前記情報処理装置が前記自己処理モードであることを表すための第２ポインタ、及び、前記情報処理装置が前記第１モードであることを表すための第１ポインタのいずれか一方を表示させ、前記制御部は、前記自己処理モードの際に前記第２ポインタを前記表示制御部によって前記表示画面に表示させ、前記第１モードとなる際に、前記第２ポインタを前記第１ポインタに切り替えてもよい。
【００２９】
この構成によると、情報処理装置に対する処理を行う自己処理モードの際に第２ポインタを表示画面に表示させ、表示装置に対する処理を行う際に、第２ポインタを第１ポインタに切り替えるので、ユーザは、処理対象が情報処理装置から表示装置に変わったことが一目で判る。
【００３０】
また、表示画面を備えた表示装置を含む、複数の前記外部装置が前記情報処理装置に接続されており、前記情報処理装置は、さらに、複数の前記外部装置の各々の名称の一覧を表す外部装置一覧を前記表示画面に表示させる一覧表示制御部を備え、前記制御部は、前記第１モードでは、前記第１の動き情報に対応する処理として、前記一覧表示制御部によって、前記外部装置一覧を前記表示画面に表示させてもよい。
【００３１】
この構成によると、可動物体に動き情報に対応して、情報処理装置に接続されている外部装置の一覧が表示されるので、処理可能な外部装置が簡易に判る。
【００３２】
また、前記記憶部には、さらに、前記第１の動き情報に対応して、前記外部装置と、当該外部装置の処理とが予め記憶されており、前記制御部は、前記外部装置一覧が前記表示画面に表示されているときに前記第１の動き情報を受け付けたときには、前記外部装置一覧の中から、前記第１の動き情報に対応する前記外部装置を特定し、さらに、前記第１の動き情報を受け付けたときには、特定した前記外部装置に対し、前記第１の動き情報に対応する処理を行ってもよい。
【００３３】
この構成によると、外部装置一覧が表示画面に表示されているときに、特定の動き情報を制御部に与えれば、処理対象となる外部装置が特定され、特定された外部装置で処理が行われる。よって、利便性に優れている。
【００３４】
また、前記記憶部は、さらに、前記第１の動き情報、及び、前記第２の動き情報とは異なる第３の動き情報と、当該第３の動き情報に対応する前記外部装置とを記憶しており、前記制御部は、（１）前記第２モードにおいて、前記受付部によって前記第３の動き情報が受け付けられた際に、前記記憶部に記憶された情報を参照して、前記第３の動き情報に対応する前記外部装置を特定し、（２）その後、当該外部装置に関して、前記第２の動き情報と、当該第２の動き情報に対応する当該外部装置の処理とが前記記憶部に記憶されている場合には、前記特定された前記外部装置に対応する処理を行ってもよい。
【００３５】
この構成によると、表示装置に特定画像が表示されていない状態でも、第３の動き情報で表される動きを可動物体がすれば、処理対象の外部装置が特定される。その後、その外部装置に対する処理が、第２の動き情報と対応して記憶されていれば、その第２の動き情報で表される動きを可動物体が行えば、特定された外部装置を処理する。
【００３６】
よって、処理対象とすべき外部装置一覧を表示させなくても、いわゆる一筆書きのように可動物体を動かすだけで、処理対象とすべき外部装置を選択することができる。よって、利便性に優れている。
【００３７】
また、前記可動物体は、角速度を検出する角速度検出部を備えるリモコンであり、前記第１の動き情報及び前記第２の動き情報は、前記リモコンの移動軌跡を表す情報であってもよい。
【００３８】
この構成によると、可動物体はリモコンであり、動き情報はリモコンの移動軌跡を表す情報であるので、リモコンを上下左右などあらゆる方向に動かすだけで、外部装置の処理が可能となり、利便性に優れている。
【００３９】
また、前記リモコンは、前記制御部に前記特定指示を行うために押し操作される特定操作ボタンが設けられており、前記リモコンは、前記特定操作ボタンが継続して押されている間、前記受付部に前記特定指示を送信してもよい。
【００４０】
この構成によると、リモコンの特定操作ボタンを継続して押していれば、情報処理装置は自己処理モードから第１モードになり続けるので、簡易な操作によって、表示装置に対する処理を行わせることができ、利便性に優れている。
【００４１】
また、前記可動物体は人体であり、前記情報処理装置には、さらに、前記人体の映像である人体映像を撮影する撮影装置が接続されており、前記受付部は、前記動き情報として、前記人体映像で表される、前記人体の動き情報を受け付け、前記記憶部には、前記人体の動き情報に対応して、前記外部装置の処理が記憶されており、前記制御部は、前記受付部が前記人体の動き情報を受け付けた際に、当該人体の動き情報に対応する、前記外部装置の処理を行ってもよい。
【００４２】
この構成によると、人体の動き情報に対応して、外部装置に対する処理を行うので、ユーザは、撮影装置の前で自身の体を動かせば、所望の外部装置に対する処理が可能であるので、リモコンの移動操作よりもより簡易に、外部装置に対する処理を行わせることができる。
【００４３】
なお、本発明は、情報処理装置として実現できるだけでなく、その情報処理装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００４４】
本発明によると、外部装置のコントロールを、操作に関する部分の面積を大きくせずに、且つ、簡易に行うことができる。
【図面の簡単な説明】
【００４５】
【図１】本発明の実施の形態１に係る情報処理システムの一例を表すシステム構成図である。
【図２】処理コマンドテーブルの構成の一例を示した図である。
【図３】本発明の実施の形態１に係るＳＴＢ１の機能構成の一例を示したブロック図である。
【図４】第１の移動軌跡テーブルの構成の一例を示した図である。
【図５】第２の移動軌跡テーブルの構成の一例を示した図である。
【図６】第３の移動軌跡テーブルの構成の一例を示した図である。
【図７】リモコンの機能構成の一例を示したブロック図である。
【図８】ＳＴＢ１の基本動作の一例について示したフローチャートである。
【図９】ＳＴＢ１の基本動作の一例について示したフローチャートである。
【図１０】制御部が自己処理モードの際における表示画面の表示例を示した図である。
【図１１Ａ】制御部が第２モードの際に、処理対象となるべき外部装置を選択する状態を表した図面である。
【図１１Ｂ】図１１Ａにおいて選択された外部装置の処理内容を指定する状態を表した図面である。
【図１２】第１ポインタの形状の一例を示した図である。
【図１３】カーソルモードにおける表示画面の表示態様の一例を示した図である。
【図１４】第１ポインタが表示画面中の予め定められた領域の外から当該領域内に移動する移動態様の一例を示した図である。
【図１５】特定画像の一例を示した図である。
【図１６Ａ】外部装置一覧の構成の一例を示した図である。
【図１６Ｂ】ステップＳ３４〜Ｓ３４による処理によって選択されたＢＤプレイヤーの操作画像を表した図である。
【図１７】本発明の実施の形態２に係る情報処理システムの一例を表すシステム構成図である。
【図１８】第４の移動軌跡テーブルの構成の一例を示した図である。
【図１９】第５の移動軌跡テーブルの構成の一例を示した図である。
【図２０】本発明の実施の形態３に係る情報処理システムの一例を表すシステム構成図である。
【発明を実施するための形態】
【００４６】
以下、本発明の実施の形態について、図面を用いて詳細に説明する。なお、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００４７】
（実施の形態１）
＜情報処理システムの構成＞
図１は、本発明の実施の形態１に係る情報処理システムの一例を表すシステム構成図である。なお、図１において、テレビジョン受像機３の表示画面３０の横方向をＸ軸方向で表し、縦方向をＹ軸方向で表す。
【００４８】
この情報処理システムＳは、ＳＴＢ（Set Top Box；情報処理装置）１（１）と、リモコン（可動物体）２と、表示画面３０を有するテレビジョン受像機３と、ＳＴＢ２（４）と、ブルーレイ（登録商標）ディスクプレイヤー（以下、ＢＤプレイヤーという）５、とを備える。
【００４９】
この情報システムＳでは、テレビジョン受像機３には、所定の規格（例えば、ＨＤＭＩ （登録商標）(High-Definition Multimedia Interface)）に準拠したケーブルを通じて、ＳＴＢ１（１）、ＳＴＢ２（４）、及び、ＢＤプレイヤー５が接続されている。
【００５０】
リモコン２は、ＳＴＢ１（１）から予め定められた範囲内に存在しており、ＳＴＢ１（１）に向けて、所定の無線信号を出力する構成とされている。尚、予め定められた範囲内とは、例えば、リモコン２からの無線信号がＳＴＢ１（１）に届く範囲内である。
【００５１】
リモコン２には、図示するように、操作ボタン２０Ａ〜２０Ｅと、操作ボタン２１とを備える。操作ボタン２０Ａ〜２０Ｅの各々は、表示画面３０に表示されているカーソル（後述）を上下左右方向に移動させるためのカーソルボタン群２０を構成している。
【００５２】
また、操作ボタン２１は、ＳＴＢ１（１）を、表示画面３０上でカーソルを移動させるカーソルモード、表示画面３０で第２ポインタを移動させる第２モード、及び、表示画面３０で第１ポインタを移動させる第１モードのいずれかにさせるために操作される特定操作ボタンである。
【００５３】
リモコン２は、操作ボタン２０Ａ〜２０Ｅ、及び、特定操作ボタン２１の各々操作に応じて、異なる機能を表す無線信号を、ＳＴＢ１（１）に出力する。
【００５４】
また、リモコン２は、ユーザの手に持たれて、リモコン２の先端が、テレビジョン受像機３の表示画面３０の方向を向くようにして動かされる。このとき、リモコン２からは、当該リモコン２の動きを表す動き情報が、ＳＴＢ１（１）に無線信号の形で出力される。
【００５５】
ＳＴＢ１（１）は、前記所定規格（例えば、ＨＤＭＩ（登録商標））に準拠した装置である。ＳＴＢ１（１）は、例えば、制御プログラムとして、ＡＮＤＲＯＩＤ（登録商標）が予めインストールされており、この制御プログラムを実行する装置である。
【００５６】
ＳＴＢ２（４）も、前記所定規格（例えば、ＨＤＭＩ（登録商標））に準拠した装置である。ＳＴＢ２（４）は、例えば、ケーブルテレビ局がユーザに貸与するチューナーである。このＳＴＢ２（４）は、ケーブルテレビ局から配信された番組コンテンツを表す情報を受け付けて、当該番組コンテンツを表す情報をテレビジョン受像機３に送信する装置である。このＳＴＢ２（４）は、その記憶部に、処理コマンドテーブル６０を有している。
【００５７】
テレビジョン受像機３も、前記所定規格（例えば、ＨＤＭＩ（登録商標））に準拠した装置である。テレビジョン受像機３は、地上放送局やＢＳ放送局から配信された番組コンテンツを表す情報を受け付けて、当該情報で表される番組コンテンツを表示画面３０に表示させる。このテレビジョン受像機３は、その記憶部に、処理コマンドテーブル６０を有している。
【００５８】
また、テレビジョン受像機３は、ＳＴＢ１（１）から受け付けた所定画像（後述）を表示画面３０に表示させる。
【００５９】
さらに、テレビジョン受像機３は、ＳＴＢ２（４）から送信された、番組コンテンツを表す情報を受け付けて、当該情報で表される番組コンテンツを表示画面３０に表示させる。さらに、テレビジョン受像機３は、ＢＤプレイヤー５から受け付けた映像を表示画面３０に表示させる。
【００６０】
ＢＤプレイヤー５も、前記所定規格（例えば、ＨＤＭＩ（登録商標））に準拠した装置である。ＢＤプレイヤー５は、ブルーレイ（登録商標）ディスクに記憶された映像の再生、及び当該ディスクへの番組コンテンツの録画を行うための装置である。このＢＤプレイヤー５は、後述する処理コマンドテーブル６０を有している。
【００６１】
図２は、処理コマンドテーブル６０の構成の一例を示した図である。この処理コマンドテーブル６０には、処理コマンド６０Ａと、処理内容６０Ｂとが対応付けて記憶されている。
【００６２】
例えば、処理コマンド６０Ａとして“０ｘ３０”が記憶されており、この処理コマンド６０Ａに対応して、処理内容“チャンネル進む”が記憶されている。
【００６３】
テレビジョン受像機３、ＳＴＢ２（４）、及びＢＤプレイヤー５は、各々、処理コマンド６０Ａを受け付けたときには、処理コマンドテーブル６０を参照して、対応する処理を判断する。そして、これらの各々は、判断された処理を行う。
【００６４】
以下に、ＳＴＢ（１）、及びリモコン２の構成について、図面を用いて説明する。尚、ＳＴＢ２（４）は、先述したように、ケーブルテレビ局から貸与された、ＨＤＭＩ（登録商標）に準拠した公知のＳＴＢである。また、ＢＤプレイヤー５及びテレビジョン受像機３も、先述したように、ＨＤＭＩ（登録商標）に準拠した、公知の装置である。そのため、ＳＴＢ２（４）、ＢＤプレイヤー５、及びテレビジョン受像機３の機能構成についての図示及び説明は省略する。
【００６５】
＜ＳＴＢ１（１）の構成＞
図３は、本発明の実施の形態１に係るＳＴＢ１（１）の機能構成の一例を示したブロック図である。ＳＴＢ１（１）は、受付部１０と、制御部１１と、表示制御部１２と、一覧表示制御部１３と、記憶部１４と、画像出力部１５と、を備える。
【００６６】
受付部１０は、リモコン２から、当該リモコン２の動き情報を受け付ける。制御部１１は、このＳＴＢ（１）全体を統括的に制御する。制御部１１は、ＣＰＵ（Central Processing Unit）、ＲＡＭ（Random Access Memory）、ＲＯＭ（Read Only Memory）などから構成され、ＣＰＵが所定の制御プログラム（例えば、ＡＮＤＲＯＩＤ（登録商標））を実行することにより実現される。
【００６７】
制御部１１は、第１モード、第２モード、自己処理モード、及びカーソルモードを有する。第１モードは、表示画面３０に、外部装置の処理を行うための画像（後述）が表示されている状態で、ＳＴＢ１（１）に接続されている外部装置（ここでは、ＳＴＢ２（４）及びＢＤプレイヤー５）の処理を行うモードである。
【００６８】
また、第２モードは、表示画面３０に何ら画像が表示されていない状態で、外部装置の処理を行うモードである。
【００６９】
さらに、自己処理モードは、表示画面３０に、ＳＴＢ１（１）の処理を行うための画像（後述）が表示されている状態で、ＳＴＢ１（１）の処理を行うモードである。
【００７０】
さらに、カーソルモードは、表示画面３０にカーソル（後述）を表示させた状態で、ＳＴＢ１（１）の処理を行うモードである。
【００７１】
制御部１１は、第１モード及び第２モードにおいて、先述の処理コマンド６０Ａを、処理対象の外部装置に向けて、ＨＤＭＩ−ＣＥＣ（HDMI-Consumer Electronics Control）のＲｅｍｏｔｅ  Ｃｏｎｔｒｏｌ  Ｐａｓｓ  Ｔｈｒｏｕｇｈや、Ｖｅｎｄｏｒ  Ｓｐｅｃｉｆｉｃ  Ｃｏｍｍａｎｄｓを用いて出力する。
【００７２】
表示制御部１２は、制御部１１が自己処理モードの際に、第２ポインタを、テレビジョン受像機３の表示画面３０に表示させる。また、表示制御部１２は、制御部１１が第１モードの際に、第１ポインタを、テレビジョン受像機３の表示画面３０に表示させる。
【００７３】
また、表示制御部１２は、表示画面３０に表示されている第１ポインタ或いは第２ポインタを表示画面３０において移動させる。なお、第１ポインタ及び第２ポインタの各々の詳細については後述する。
【００７４】
さらに、表示制御部１２は、受付部１０によって受け付けられた、リモコン２の動き情報（例えば、リモコン２から出力された角速度情報）に応じて、第１ポインタ及び第２ポインタの表示位置、例えば、ＸＹ座標を適宜設定する。例えば、角速度情報にＸ軸方向の角速度が含まれる場合は、第１ポインタ及び第２ポインタを、Ｘ軸方向に、角速度の大きさに応じた距離に移動させる。
【００７５】
表示制御部１２は、角速度情報にＹ軸方向の角速度が含まれる場合は、第１ポインタ及び第２ポインタを、Ｙ軸方向に、角速度の大きさに応じた距離に移動させる。言い換えると、ユーザは、リモコン２の表示画面３０に対する角度を変えることにより、第１ポインタ及び第２ポインタの位置を移動させることができる。
【００７６】
一覧表示制御部１３は、ＳＴＢ１（１）に接続されている外部装置（例えば、ＳＴＢ２（４）及びＢＤプレイヤー５）の各々の名称の一覧を表す外部装置一覧を、テレビジョン受像機３の表示画面３０に表示させる。
【００７７】
記憶部１４は、リモコン２の動きを表す動き情報と、当該動き情報と対応する、外部装置に対する処理とを記憶している。具体的には、記憶部１４は、第１の移動軌跡テーブル１４０（図４参照）と、第２の移動軌跡テーブル１４１（図５参照）と、第３の移動軌跡テーブル１４２（図６参照）と、を備える。
【００７８】
なお、第１の移動軌跡テーブル１４０と、第２の移動軌跡テーブル１４１と、第３の移動軌跡テーブル１４２と、について、各々のテーブルに記憶されているデータは、ユーザが所定の設定画面を用いて任意に設定することができる。
【００７９】
図４は、第１の移動軌跡テーブル１４０の構成の一例を示した図である。この移動軌跡テーブル１４０は、制御部１１が第２モードの際に使用される。移動軌跡テーブル１４０には、リモコン２の移動軌跡を表す情報（第２の動き情報）１４０Ａと、外部装置に対する処理コマンド１４０Ｂとが対応付けて記憶されている。例えば、リモコンの右移動に対応して、処理コマンド“０ｘ３０”が記憶されている。
【００８０】
図５は、第２の移動軌跡テーブル１４１の構成の一例を示した図である。この移動軌跡テーブル１４１は、制御部１１が第１モードの際に使用される。移動軌跡テーブル１４１には、リモコン２の移動軌跡として第１ポインタの移動軌跡を表す情報（第１の動き情報）１４１Ａが記憶されている。そして、第１ポインタの移動軌跡を表す情報１４１Ａに対応して、外部装置に対する処理コマンド１４１Ｂが記憶されている。
【００８１】
例えば、第１ポインタの第１領域における上移動に対応して、処理コマンド“０ｘ３０”が記憶されている。
【００８２】
図６は、第３の移動軌跡テーブル１４２の構成の一例を示した図である。この移動軌跡テーブル１４３は、制御部１１が第１モード及び第２モードの際に、処理対象としたい外部装置を選択するためのデータが記憶されている。具体的には、リモコン２の移動軌跡を表す情報（第３の動き情報）１４２Ａと、当該情報１４２Ａと対応する、外部装置の名称とが記憶されている。
【００８３】
例えば、リモコンの移動軌跡“右斜め上方向の矢印”に対応して、外部装置として“ＢＤプレイヤー５”が記憶されている。
【００８４】
図３に戻り、画像出力部１５は、ＳＴＢ１（１）から画像（例えば、ＳＴＢ（１）のホーム画像）を、テレビジョン受像機３に出力する。
【００８５】
＜リモコン２の構成＞
図７は、リモコン２の機能構成の一例を示したブロック図である。リモコン２は、先述したカーソルボタン群２０と、特定操作ボタン２１と、角速度検出部２２と、ボタン入力検出部２３と、ボタン情報生成部２４と、出力部２５と、を備える。
【００８６】
なお、カーソルボタン群２０と特定操作ボタン２１とについては先述したので、角速度検出部２２と、ボタン入力検出部２３と、ボタン情報生成部２４と、出力部２５とについて説明する。
【００８７】
角速度検出部２２は、角速度を検出するセンサである。より具体的には、角速度検出部２２は、テレビジョン受像機３の表示画面３０に水平なＸ軸方向（図１参照）の加速度と、表示画面３０上においてＸ軸方向と垂直なＹ軸方向（図１参照）の加速度と、から角速度を検出する。さらに、角速度検出部２２は、検出した角速度を示す角速度情報を、出力部２５を介してＳＴＢ１（１）に出力する。
【００８８】
ボタン入力検出部２３は、押されたボタンを検出する回路である。ボタン情報生成部２４は、ボタン入力検出部２３からの情報に基づいて、押されたボタンを示すボタン情報を生成する回路である。例えば、ボタン情報生成部２４は、カーソルボタン群２０を構成する操作ボタンが操作された際に、このことを表すボタン情報を生成する。
【００８９】
また、ボタン情報生成部２４は、特定操作ボタン２１が操作された際に、このことを表すボタン情報を生成する。尚、ボタン情報生成部２４は、特定操作ボタン２１が押し操作され続けている間、特定操作ボタン２１が操作されていることを表すボタン情報を生成する。また、ボタン情報生成部２４は、特定操作ボタン２１が予め定められた短い時間の間（例えば、１秒未満）、押し操作された際には、特定操作ボタン２１が短い時間の間押し操作されたことを表す情報を生成する。
【００９０】
出力部２５は、ＳＴＢ１（１）と無線で通信を行うためのインターフェースであり、角速度情報およびボタン情報等を、ＳＴＢ１（１）に向けて出力する。
【００９１】
＜ＳＴＢ１（１）の動作＞
図８及び図９は、ＳＴＢ１（１）の基本動作の一例について示したフローチャートである。制御部１１は、通常は、ＳＴＢ１（１）に対する処理を行う自己処理モードとなっている。
【００９２】
図１０は、制御部１１が自己処理モードの際における表示画面３０の表示例を示した図である。表示画面３０には、例えば、ＳＴＢ１（１）のホーム画像が表示されており、ホーム画像には、所定の機能が割り当てられたアイコン画像３１が複数含まれている。そして、表示画面には、ＳＴＢ１（１）の処理を行うための第２ポインタ３２Ａが表示されている。
【００９３】
第２ポインタ３２Ａは、矢印形状とされている。制御部１１が第１モードとなった際には、第２ポインタ３２Ａに代えて第１ポインタ３２（図１２参照）が表示される。
【００９４】
ユーザは、リモコン２をテレビジョン受像機３の表示画面３０の前で動かして第２ポインタ３２Ａを動かして、第２ポインタ３２Ａを所望のアイコン画像３１の上に位置させる。そして、ユーザはリモコンの所定操作（例えば、図示しない決定キーの操作）を行うことによって、アイコン画像３１に割り当てられた機能を実行させる。
【００９５】
ＳＴＢ１（１）の制御部１１は、特定操作ボタン２１が継続して押し操作されていることを、リモコン２からのボタン情報から判別した際には（ステップＳ１１のＹＥＳ）、ＳＴＢ１（１）から画像（例えば、ＳＴＢ１（１）のホーム画像）が出力されているか否かを判別する（ステップＳ１２）。なお、ＳＴＢ１（１）からの画像が出力されていない状態には、例えば、ＳＴＢ１（１）の待機状態が挙げられる。
【００９６】
ＳＴＢ１（１）から画像が出力されていなければ、制御部１１は、第２モードとなる（ステップＳ１３）。そして、制御部１１は、リモコン２の移動軌跡を受け付ける（ステップＳ１４）。この後の処理では、制御部１１は、第１の移動軌跡テーブル１４０を用いる。
【００９７】
制御部１１は、リモコン２から出力された角速度情報に基づいて移動軌跡を判別する。リモコン２が上下方向に移動したときには（ステップＳ１５でＮＯ、ステップＳ１６でＹＥＳ）、処理コマンド６０Ａとして、“０ｘ４１”或いは“０ｘ４２”をテレビジョン受像機３に出力する。その結果、テレビジョン受像機３の音量が大小する（ステップＳ１７）。
【００９８】
一方で、リモコン２が左右方向に移動したときには（ステップＳ１５でＮＯ、ステップＳ１８でＹＥＳ）、制御部１１は、処理コマンド６０Ａとして、“０ｘ４１”或いは“０ｘ４２”をテレビジョン受像機３に出力する。その結果、テレビジョン受像機３のチャンネルが切り替わる（ステップＳ１９）。
【００９９】
また、ステップＳ１５において、リモコン２が上下左右以外の特定の移動軌跡を描いた際には（ステップＳ１５でＹＥＳ）、その移動軌跡に対応する外部装置を、第３の移動軌跡テーブル１４２を参照して特定する（ステップＳ２０）。例えば、特定の移動軌跡として、“右斜め上方向の矢印（図６参照）”が描かれた際には、制御部１１は、第３の移動軌跡テーブル１４２を参照して、移動軌跡“右斜め上方向の矢印”に対応する外部装置“ＢＤプレイヤー５”を選択する。
【０１００】
そして、制御部１１は、外部装置“ＢＤプレイヤー５”に対して行うべき処理を、リモコン２の移動軌跡に基づいて判別する（ステップＳ２１）。
【０１０１】
例えば、リモコン２の移動軌跡が、“○”である際には、制御部１１は、第１の移動軌跡テーブル１４０を参照して、対応する処理コマンド “０ｘ４４”を選択し、当該処理コマンドをＢＤプレイヤー５に出力する。すると、ＢＤプレイヤー５は、処理コマンド“０ｘ４４”に対応する処理内容を、処理コマンドテーブル６０を参照して判断する。処理コマンド“０ｘ４４”に対応する処理内容は“再生”であるので、ＢＤプレイヤー５は、再生処理を行う（ステップＳ２２）。
【０１０２】
以下、図８におけるステップＳ１５〜Ｓ２２の処理を、図１１Ａ及び図１１Ｂを用いてさらに説明する。
【０１０３】
図１１Ａ及び図１１Ｂは、制御部１１が第２モードの際における処理内容を説明するための図である。図１１Ａは、制御部１１が第２モードの際に、処理対象となるべき外部装置を選択する状態を表した図面である。図１１Ｂは、図１１Ａにおいて選択された外部装置の処理内容を指定する状態を表した図面である。
【０１０４】
図１１Ａ及び図１１Ｂに示すように、第２モードでは、先述したように、ＳＴＢ１（１）から画像が出力中ではないので、表示画面３０には、何ら表示されない状態となっている。
【０１０５】
この状態で、リモコン２の移動軌跡が、上下方向の移動軌跡３５Ａである際には、制御部１１は、テレビジョン受像機３の音量を大小させる。また、リモコン２の移動軌跡が、左右方向の移動軌跡３５Ｂである際には、制御部１１は、テレビジョン受像機３のチャンネルを切り替える。
【０１０６】
一方で、図１１Ａにおいて、表示画面３０に何も画像が表示されていない状態で、“右斜め上方向の矢印”を表す移動軌跡３５Ｃ１が、リモコン２の操作によって入力された際には、制御部１１は、処理対象としてＢＤプレイヤー５を選択する。その後、図１１Ｂに示すように、リモコン２によって、“○”を表す移動軌跡３５Ｃ２が描かれた際には、制御部１１は、ＢＤプレイヤー５を再生させる。
【０１０７】
図８に戻り、ステップＳ１２において、ＳＴＢ１（１）からの画像を出力中である際には（ステップＳ１２でＹＥＳ）、制御部１１は第１モードとなり（ステップＳ２３）、第２ポインタ３２Ａに代えて第１ポインタ３２を表示させる（ステップＳ２４）。
【０１０８】
図１２は、第１ポインタ３２の形状の一例を示した図である。なお、図１２において、図１０における構成要素と同一の構成要素については、同一符号を付して説明を省略する。
【０１０９】
図１２に示すように、表示画面３０には、三角形状の第１ポインタ３２が表示されている。これに対して、図１０における第２ポインタ３２Ａは矢印形状である。このように、第１ポインタ３２と第２ポインタ３２Ａとの間で形状が異なるので、ユーザは、制御部１１が、第１モードであるのか第２モードであるのかを容易に確認することができる。
【０１１０】
図８に戻り、ステップＳ２５において、特定操作ボタンが予め定められた、短い時間（例えば１秒以内の時間）、押し操作された場合には（ステップＳ２５でＹＥＳ）、制御部１１は、カーソルモードとなる（ステップＳ２６）。
【０１１１】
図１３は、カーソルモードにおける表示画面３０の表示態様の一例を示した図である。このカーソルモードでは、ユーザが操作ボタン２０Ａ〜２０Ｅを操作することによって、カーソル３３を上下左右に移動させながら、所望のアイコン３１を選択する。
【０１１２】
図８に戻り、制御部１１が、第２ポインタ３２Ａに代えて、第１ポインタ３２を表示画面３０に表示させた後には（ステップＳ２４）、制御部１１は、第１ポインタ３２を表示させてから所定時間内に、第１ポインタ３２が表示画面３０の中の予め定められた領域外から当該領域内に移動したか否かを判別する（ステップＳ２７）。
【０１１３】
図１４は、第１ポインタ３２が表示画面３０中の予め定められた領域３０Ａの外から当該領域３０Ａ内に移動する移動態様の一例を示した図である。図１４の（ａ）は、第１ポインタ３２が前記領域の外に存在する状態を表し、図１４の（ｂ）は、第１ポインタ３２が前記領域内に存在する状態を表す。
【０１１４】
図１４の（ａ）における矢印ＡＲ１〜ＡＲ３のいずれかで示される移動軌跡を描いて第１ポインタ３２が領域３０Ａ内に移動した際には、制御部１１は、以下の処理を行う。なお、第１ポインタ３２の移動軌跡としては、矢印ＡＲ１〜ＡＲ３だけには限られず、図１４の（ａ）における位置から領域３０Ａに向けて移動する軌跡であれば、どのような移動軌跡であってもかまわない。
【０１１５】
所定時間内に、第１ポインタ３２が表示画面３０の中の領域３０Ａ内に移動しなかった際には（ステップＳ２７でＮＯ）、制御部１１は、特定画像を表示画面３０に表示させる（ステップＳ２８）。図１５は、特定画像の一例を示した図である。なお、図１５において、図１１に示した構成要素と同一の構成要素については、同一の符号を付して説明を省略する。
【０１１６】
特定画像３４は、第１領域３４Ａと第２領域３４Ｂとに区分されている。第１領域３４Ａの真上には、処理内容として“音量調節”という文字画像が表示されている。第２領域３４Ｂの真上には、処理内容として“チャンネル切替”という文字画像が表示されている。
【０１１７】
また、特定画像３４は、第１ポインタ３２を表す画像を含んでいる。
【０１１８】
このような特定画像３４が表示画面３０に表示されている状態で、制御部１１は、第１ポインタ３２の移動軌跡の入力を受け付ける（ステップＳ２９）。
【０１１９】
もし、第１ポインタ３２が第１領域３４Ａ内で上方向に移動軌跡を描いたときには、制御部１１は、第２の移動軌跡テーブル１４１を参照して、対応する処理コマンド１４１Ｂとして、“０ｘ３０”を取得する。制御部１１は、取得した処理コマンド“０ｘ３０”をテレビジョン受像機３に出力する。すると、テレビジョン受像機３は、出力された処理コマンド“０ｘ３０”に基づいて、音量を大きくする（以上、ステップＳ３０でＹＥＳ、ステップＳ３１）。
【０１２０】
或いは、第１ポインタ３２が第１領域３４Ａ内で下方向に移動軌跡を描いたときには、制御部１１は、第２の移動軌跡テーブル１４１を参照して、対応する処理コマンド１４１Ｂとして、“０ｘ３１”を取得する。制御部１１は、取得した処理コマンド“０ｘ３１”をテレビジョン受像機３に出力する。すると、テレビジョン受像機３は、出力された処理コマンド“０ｘ３１”に基づいて、音量を小さくする（以上、ステップＳ３０でＹＥＳ、ステップＳ３１）。
【０１２１】
或いは、第１ポインタ３２が第２領域３４Ｂ内で上方向に移動軌跡を描いたときには、制御部１１は、第２の移動軌跡テーブル１４１を参照して、対応する処理コマンド１４１Ｂとして、“０ｘ４１”を取得する。制御部１１は、取得した処理コマンド“０ｘ４１”をテレビジョン受像機３に出力する。すると、テレビジョン受像機３は、出力された処理コマンド“０ｘ４１”に基づいて、チャンネルを一段階大きくする（以上、ステップＳ３０でＮＯ、ステップＳ３２でＹＥＳ、ステップＳ３３）。
【０１２２】
或いは、第１ポインタ３２が第２領域３４Ｂ内で下方向に移動軌跡を描いたときには、制御部１１は、第２の移動軌跡テーブル１４１を参照して、対応する処理コマンド１４１Ｂとして、“０ｘ４２”を取得する。制御部１１は、取得した処理コマンド“０ｘ４２”をテレビジョン受像機３に出力する。すると、テレビジョン受像機３は、出力された処理コマンド“０ｘ４１”に基づいて、チャンネルを一段階小さくする（以上、ステップＳ３０でＮＯ、ステップＳ３２でＹＥＳ、ステップＳ３３）。
【０１２３】
図９に戻り、ステップＳ２７において、所定時間内に、第１ポインタ３２が特定領域３０Ａ（図１４参照）内に移動した際には（ステップＳ２７でＹＥＳ；図１４の（ｂ）参照）、制御部１１は、一覧表示制御部１３によって、図１６Ａに示すような、外部装置一覧３６を表示画面３０に表示させる（ステップＳ３４）。
【０１２４】
外部装置一覧３６は、一覧表示制御部１３によって、先述したＨＤＭＩ−ＣＥＣの“Ｒｏｕｔｉｎｇ  Ｃｏｎｔｒｏｌ機能”を用いて作成される。なお、図１６Ａは、外部装置一覧３６の構成の一例を示した図である。
【０１２５】
この状態で、制御部１１は、受付部１０によって、第１ポインタ３２の移動軌跡を受け付ける（ステップＳ３５）。第１ポインタ３２の移動軌跡が、外部装置の選択を表す特定の移動軌跡である際には（ステップＳ３６でＹＥＳ）、制御部１１は、処理対象となる外部装置を選択する（ステップＳ３７）。
【０１２６】
ステップＳ３４〜ステップＳ３７の処理を、図１６Ａを用いて説明する。表示画面３０には、外部装置一覧３６が表示されている。外部装置一覧３６は、入力２（ＩＮＰＵＴ２）にＳＴＢ２（４）が接続されていることを表す画像３６Ａと、入力３（ＩＮＰＵＴ３）にＢＤプレイヤー５が接続されていることを表す画像３６Ｂとが表示されている。
【０１２７】
この状態で、ユーザが、処理対象としてＢＤプレイヤー５を選択する際には、リモコン２を動かして、第１ポインタ３２を画像３６Ａの上に位置させる。そして、ユーザは、第１ポインタ３２の移動軌跡３５が画像３６Ｂの上で、例えば、“○”となるように、リモコン２を動かす。
【０１２８】
すると、制御部１１は、“○”が描かれた画像３６Ｂに表示されている外部装置として、ＢＤプレイヤー５を選択する。そして、制御部１１は、例えば、図１６Ｂに示すような操作画像を表示画面に表示させる。
【０１２９】
図１６Ｂは、ステップＳ３４〜Ｓ３４による処理によって選択されたＢＤプレイヤー５の操作画像を表した図である。この操作画像３１には、再生ボタン３１Ａと、ポーズボタン３１Ｂと、停止ボタン３１Ｃと、録画ボタン３１Ｄが含まれている。
【０１３０】
ユーザは、これらのボタンのいずれか１つの上に第１ポインタ３２を位置させて、“○”などの移動軌跡を描くように、リモコン２を動かすことで、再生、ポーズ、停止、及び録画のいずれかの処理をＢＤプレイヤー５に行わせることができる。例えば、ユーザは、再生ボタン３１Ａの上で、移動軌跡“○”を描くようにリモコン２を動かせば、制御部１１は、第１の移動軌跡テーブル１４０を参照して、処理コマンド“０ｘ４４”を取得する。そして、制御部１１は、ＢＤプレイヤーに向けて、取得した処理コマンド“０ｘ４４”を出力する。これにより、ＢＤプレイヤー５が再生処理を行う。
【０１３１】
なお、上述した説明からも判るように、制御部１１は、選択された外部装置（ここではＢＤプレイヤー５）に対して、移動軌跡に対応するコマンドを出力して、そのコマンドに対応する処理を行わせている。したがって、本来は、再生ボタン３１Ａ、ポーズボタン３１Ｂ、停止ボタン３１Ｃ、及び録画ボタン３１Ｄは不要である。しかしながら、ユーザの視認性を考慮して、これらのボタンを表示している。
【０１３２】
＜効果＞
以上、説明したように、本実施の形態に係る情報処理システムによると、リモコン２を移動させることによって、情報処理装置以外の外部装置の処理を行うことができるので、外部装置のコントロールを、操作に関する部分の面積を大きくせずに、且つ、簡易に行うことができる。また、リモコン２の移動だけで外部装置の処理を行うことができるので、目的とする制御機器のための操作ボタンを探す手間が省け、有益である。
【０１３３】
また、外部装置の処理用の操作ボタンをリモコン２に設ける必要がないので、リモコン２の小型化が可能である。
【０１３４】
さらに、表示画面３０に何ら画像が表示されていない状態でもリモコン２を動かして外部装置の処理を行うことができるので、有益である。
【０１３５】
（実施の形態２）
図１７は、本発明の実施の形態２に係る情報処理システムの一例を表すシステム構成図である。この情報処理システムＳ１は、先述したＨＤＭＩ（登録商標）に準拠しており、ソース装置１６とリピータ装置１７とがＳＴＢ１（１）によって構成されている。そして、シンク装置が、テレビジョン受像機３によって構成されている。
【０１３６】
そして、ＳＴＢ１（１）のリピータ装置１７には、ソース装置の１つである撮影装置６が接続されている。撮影装置６は、被写体の映像を撮影し、撮影した映像を現す映像情報をリピータ装置１７に出力する。撮影装置６は、制御部１１が、第１モード、第２モード、及び自己処理モードとなるのに十分な大きさの範囲の映像を撮影する。
【０１３７】
この構成によると、撮影装置６は、可動物体の動き情報として、人体の動き情報を表す映像を撮影する。なお、人体の動き情報には、手或いは腕の動き情報が含まれる。
【０１３８】
ＳＴＢ１（１）の受付部１０は、動き情報として、人体の映像を受け付ける。ＳＴＢ１（１）の記憶部１４には、先述の第２の移動軌跡テーブル１４１（図５参照）と、第４の移動軌跡テーブル１４３と、第５の移動軌跡テーブル１４４とを備える。なお、第４の移動軌跡テーブル１４３と、第５の移動軌跡テーブル１４４とについて、各々のテーブルのデータは、ユーザが所定の設定画面を用いて任意に設定可能である。
【０１３９】
図１８は、第４の移動軌跡テーブル１４３の構成の一例を示した図である。この移動軌跡テーブル１４３は、制御部１１が第２モードの際に使用される。移動軌跡テーブル１４３には、指先の移動軌跡を表す情報（第２の動き情報）１４３Ａと、外部装置に対する処理コマンド１４３Ｂとが対応付けて記憶されている。例えば、指先の右移動に対応して、処理コマンド“０ｘ３０”が記憶されている。
【０１４０】
図１９は、第５の移動軌跡テーブル１４４の構成の一例を示した図である。この移動軌跡テーブル１４４は、制御部１１が第１モード及び第２モードの際に、処理対象としたい外部装置を選択するためのデータが記憶されている。具体的には、指先の移動軌跡を表す情報（第３の動き情報）１４４Ａと、当該情報１４４Ａと対応する、外部装置の名称１４４Ｂとが記憶されている。例えば、“右斜め上方向の矢印”を表す、指先の移動軌跡と対応する外部装置として、“ＢＤプレイヤー５”が記憶されている。
【０１４１】
制御部１１は、第１モードの際には、第２の移動軌跡テーブル１４１と、第５の移動軌跡テーブル１４４とを用いて、先述した、図９のフローチャートで表される処理を行う。
【０１４２】
また、制御部１１は、第２モードの際には、第４の移動軌跡テーブル１４３及び第５の移動軌跡テーブル１４４を用いて、先述した、図８及び図９のフローチャートで表される処理を行う。
【０１４３】
この構成によると、人体の動き情報に基づいて、外部装置の処理を行うことができるため、より簡易に外部装置の処理を行うことができる。なお、制御部１１は、手の形状の違いによって、異なる処理コマンドを出力してもよい。
【０１４４】
（実施の形態３）
図２０は、本発明の実施の形態３に係る情報処理システムの一例を表すシステム構成図である。この情報処理システムＳ２は、無線通信機能を備えるＳＴＢ１（１Ａ）を備える。また、情報処理システムＳ２は、無線通信機能を備える、テレビジョン受像機３Ａ及びスマートフォン８を備える。さらに、情報処理システムＳ２は、テレビジョン受像機３Ａ及びスマートフォン８と、ＳＴＢ１（１Ａ）との間の無線通信を中継するアクセスポイント７を備える。なお、スマートフォン８にも、先述した処理コマンドテーブル６０が格納されている。
【０１４５】
アクセスポイント７には、外部装置、つまり、テレビジョン受像機３Ａ及びスマートフォン８の端末情報（例えばＩＰアドレス）が予め登録されている。
【０１４６】
ＳＴＢ１（１Ａ）は、処理対象として選択された外部装置のＩＰアドレスを指定して、処理コマンドを、無線によって、その端末情報が割り当てられた外部装置に向けて出力する。
【０１４７】
この構成によると、ＳＴＢ１（１Ａ）と外部装置とを無線で接続しているので、ＳＴＢ１（１Ａ）と、テレビジョン受像機３Ａ及びスマートフォン８とを結ぶケーブルを必要としないので、ＳＴＢ１（１Ａ）からの無線の届く範囲内であれば、テレビジョン受像機３Ａ及びスマートフォン８をどこにでも配置することができ、利便である。
【０１４８】
（その他の実施例等）
なお、実施の形態２と実施の形態３とを組み合わせてもよい。すなわち、ＳＴＢ１（１Ａ）に撮影装置６を接続する。そして、ＳＴＢ１（１Ａ）は、撮影装置６により得られた、人体の動き情報に基づいた処理コマンドを、テレビジョン受像機３Ａ及びスマートフォン８に向けて、無線信号の形で出力する。
【０１４９】
なお、本発明の実施の形態においては、上記の各部を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１５０】
さらにまた、上記の各部を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１５１】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１５２】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標））Ｄｉｓｃ、半導体メモリなどに記録したものとしても良い。また、これらの非一時的な記録媒体に記録されている上記デジタル信号であるとしても良い。
【０１５３】
また、本発明は、上記コンピュータプログラムまたは上記デジタル信号を、電気通信回線、無線または有線通信回線、インターネットを代表とするネットワーク、データ放送等を経由して伝送するものとしても良い。
【０１５４】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１５５】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【産業上の利用可能性】
【０１５６】
本発明は、ＳＴＢと、当該ＳＴＢに接続された、テレビジョン受像機やＢＤプレイヤーなどの外部装置とからなる情報処理システムに適用することができる。
【符号の説明】
【０１５７】
Ｓ、Ｓ１、Ｓ２  情報処理システム
１、１Ａ  ＳＴＢ
２  リモコン
３、３Ａ  テレビジョン受像機
６  撮影装置
７  アクセスポイント
１０  受付部
１１  制御部
１２  表示制御部
１３  一覧表示制御部
１４  記憶部
２１  特定操作ボタン
２２  角速度検出部
３０  表示画面
３２  第１カーソル
３２Ａ  第２カーソル
３６  外部装置一覧
【図１】
2015027003.tif 000003
【図２】
2015027003.tif 000004
【図３】
2015027003.tif 000005
【図４】
2015027003.tif 000006
【図５】
2015027003.tif 000007
【図６】
2015027003.tif 000008
【図７】
2015027003.tif 000009
【図８】
2015027003.tif 000010
【図９】
2015027003.tif 000011
【図１０】
2015027003.tif 000012
【図１１Ａ】
2015027003.tif 000013
【図１１Ｂ】
2015027003.tif 000014
【図１２】
2015027003.tif 000015
【図１３】
2015027003.tif 000016
【図１４】
2015027003.tif 000017
【図１５】
2015027003.tif 000018
【図１６Ａ】
2015027003.tif 000019
【図１６Ｂ】
2015027003.tif 000020
【図１７】
2015027003.tif 000021
【図１８】
2015027003.tif 000022
【図１９】
2015027003.tif 000023
【図２０】
2015027003.tif 000024